(57)【要約】【課題】取外しが簡単で、防音・防水効果に優れ、且つ、清潔で長期間使用可能な耳栓を提供すること。【解決手段】耳栓１０は、常温で形を自由に変えることができる可塑性のある材料からなる栓本体２０と、栓本体２０を被覆するプラスチックフィルムのカバー３０からなる。栓本体２０は、耳の穴の入口に向かう先端が尖った弾丸状にしてあり、後端に取出し片３２がある。この栓本体２０は、カバー３０が後端に取出し片３２を形成するように被覆されている。プラスチックフィルムの被覆により、栓本体２０に汚れが付着しないので、長期間、清潔に使用することができる。後端に取出し片３２があるので、耳栓１０を耳道奥深くまで挿入しても、容易に取外すことができる。また、弾性がないので、圧迫感がなく、長時間、快適に装着することができる。【選択図】  図１
2004208865.tif 000002
【特許請求の範囲】
【請求項１】
常温で可塑性を有する材料からなる栓本体がプラスチックフィルムのカバーで覆われ、
該カバーの一端部が取出し片を形成していることを特徴とする、
耳栓。
【請求項２】
前記材料がシリコンである、請求項１の耳栓。
【請求項３】
前記材料がワセリン、又は綿にワセリンを含浸させたものである、請求項１の耳栓。
【請求項４】
前記取出し片が前記プラスチックフィルムをヒートシールしたものである、請求項１から３のいずれかの耳栓。
【請求項５】
先端が弾丸状に細くされ、後端に前記取出し片がある、請求項１から４のいずれかの耳栓。
【発明の詳細な説明】
【０００１】
【発明の属する技術分野】
本発明は、耳栓に関し、更に詳細には、取外しが簡単で、防音効果に優れ、長期間使用可能なカバー付き耳栓に関する。
【０００２】
【従来の技術】
従来用いられてきた耳栓には、大別してスポンジからなる耳栓と、シリコン（正しくは「シリコーン（ｓｉｌｉｃｏｎｅ）」であるが、俗に「シリコン」と呼ばれている。）からなる耳栓がある。
図４に示すスポンジからなる耳栓１０Ａは、細いロール状に変形させ、耳道に挿入して装着する。耳栓１０Ａは押圧されることで一旦は縮小するが、耳道挿入後段々と形状が回復し、耳栓は耳道と完全に密着した状態になり、防音効果を奏するものである。
【０００３】
又、米国では、シリコンからなる耳栓が普及している。図５に示すように、シリコンからなる耳栓１０Ｂは、球状にし、耳の穴にあて、指で耳の穴のまわりに押し広げるようにして装着することで、防音・防水効果が得られる。
【発明が解決しようとする課題】
【０００４】
しかし、図４のスポンジからなる耳栓の場合、スポンジという材質上、騒音を防ぐ効果が十分でなく、また、使用していくうちに、耳の老廃物がスポンジに付着するばかりでなく、耳栓の弾性も次第に失われてしまうため、早期に耳栓としての機能を果たさなくなるという問題を有する。
又、図５のシリコンからなる耳栓は、材料のシリコンが肌に対して粘着性を有することが機能上重要で、この粘着性のために、スポンジからなる耳栓より顕著に、耳の老廃物が付着して汚れ易いばかりでなく、シリコンの粘着性が早期に失われる問題がある。しかも、使用法を間違えて耳道に挿入すると、取出すのが困難で、ちぎれて耳道に残った場合は、一層、取出しが困難になるという問題がある。
特に、シリコンからなる耳栓は、本来、耳道に挿入して装着するものではなく、粘着性を利用して、耳穴の入口に貼付ける形で使用されなければならないので、防音効果は必ずしも満足できるものではなかった。
【０００５】
本発明は、上述した問題点に鑑み、取外しが簡単で、防音効果に優れ、且つ、長期間使用可能な耳栓を提供することを目的とする。
【０００６】
【課題を解決するための手段】
本発明は、常温で可塑性を有する材料からなる栓本体がプラスチックフィルムのカバーで覆われ、
該カバーの一端部が取出し片を形成していることを特徴とする耳栓によって、前記の課題を解決した。
【０００７】
【作用】
本発明によると、常温で可塑性を有する材料からなる栓本体がプラスチックフィルムのカバーで覆われているので、これを弾丸状に先が尖った形状にして、耳道深く挿入することができ、かくして、より高い防音効果が得られる。又、耳道深く挿入しても、後端に取出し片が形成されているので、取外しを容易に行うことができる。
又、プラスチックフィルムのカバーで被覆することにより、汚れが栓本体に付着することがないため、長期間の使用が可能になる。
【０００８】
【発明の実施の形態】
図１に、本発明の実施形態の耳栓を示す。
この耳栓１０は、栓本体２０と栓本体２０を全体として被覆するプラスチックフィルムのカバー３０からなる。
栓本体２０は、耳の穴の入口に向かう先端が尖った弾丸状にしてあり、後端に取出し片３２が位置する。
なお、各人の耳道の大きさは異なるから、どの程度細長い弾丸状にするかは使用者に任される。栓本体は常温で可塑性を有する材料からなるので、耳栓の形状は自由に変えることができる。
この栓本体２０は、カバー３０が後端に取出し片３２を形成するように被覆されている。
このように被覆することで、栓本体２０に、直接、汚れが付着することがないので、長期間の使用が可能になる。
又、取出し片３２があることより、耳栓１０を耳道奥深くまで挿入しても、ちぎれたりすることがなく、取外しを容易に行うことができる。そして、この耳栓１０は弾性がないので、スポンジからなる耳栓のような圧迫感がなく、長時間、快適に装着することができる。
【０００９】
栓本体２０は、常温で可塑性を有する物質としてよく知られているシリコンからなることが好ましいが、シリコンの替わりに、ワセリン、又は綿にワセリンを含浸させたものも用いることができる。カバー３０は、ポリエチレンや塩化ビニル等からなるプラスチックフィルムが好適である。なお、このプラスチックフィルムは、中に入れる栓本体の可塑性を阻害しない程度に薄く、且つ、引っ張っても容易に破れない強度を具えている必要がある。
カバー３０の後端をシールして取出し片３２を形成するには、ヒートシールや、接着剤による接着等、従来公知の技術によればよく、当業者には周知であるから、説明は省略する。
【００１０】
次に、図２により、本発明の耳栓の装着方法を説明する。
図に示すように、本発明の耳栓を左の耳に装着する場合は、従来の耳栓と同様、右手を頭の後ろに回し、右耳をつまみ、後方に軽く引張って、耳栓を耳の穴の向きと平行にして挿入する。このように、耳栓を耳の穴の向きと平行に挿入することで、耳道奥深くに挿入することが可能となる。
耳栓が耳道の大きさに比べて大き過ぎると感じたら、より細い形に変形させればよい。
本発明の耳栓は、上記の方法により耳を引張ることで、耳道が真っすぐになって、耳栓が挿入しやすくなるだけでなく、引張ることを止めることで、耳の入口で耳栓と耳が密着する。
そして、挿入後、後端を押圧することで変形させ、耳の穴の入口部分を完全に塞ぐことができる。
【００１１】
図３に、本発明の耳栓の装着状態を示す。
図３（ａ）は耳外部での耳栓の装着状態を示し、図３（ｂ）は耳内部での耳栓の装着状態を断面図で示す。これらの図に示すように、耳栓１０は耳穴入口付近で大きく広がり、耳穴を塞ぐことで、防音の効果を高めることができる。
【００１２】
【発明の効果】
本発明によると、常温で可塑性を有する材料からなる栓本体が全体としてプラスチックフィルムのカバーで被覆されていることにより、細長い弾丸状にして耳道深くまで耳栓を挿入することが可能となり、より高い防音効果が得られる。
又、耳道奥深くまで耳栓を挿入しても、後端にある取出し片により、取外しを容易に行うことができる。
又、全体をプラスチックフィルムのカバーで被覆することにより、人体からの老廃物が栓本体に付着することが全くないため、長期間、清潔に使用することができるという効果を奏する。
【図面の簡単な説明】
【図１】本発明の実施形態の耳栓を示し、図１（ａ）は概要図、図１（ｂ）は分解図。
【図２】本発明の耳栓の装着方法の説明図。
【図３】本発明の耳栓の装着状態の説明図。
【図４】従来のスポンジからなる耳栓を示し、図４（ａ）は装着方法の説明図、図４（ｂ）は装着状態の説明図。
【図５】従来のシリコンからなる耳栓を示し、図５（ａ）は耳栓を球状にした状態の概要図、図５（ｂ）は装着状態の説明図。
【符号の説明】
１０：耳栓
２０：栓本体
３０：カバー
３２：取出し片
【図１】
2004208865.tif 000003
【図２】
2004208865.tif 000004
【図３】
2004208865.tif 000005
【図４】
2004208865.tif 000006
【図５】
2004208865.tif 000007